(57)【要約】【課題】別の棚板と組み合わせて、平面視でＬ字形の棚構造体を組み立てる場合に活用出来る、被支持用具を備えた棚板を提供する。【解決手段】本発明の被支持用具を備えた棚板は、端部を棚板受け部材（主棚板１６）に支持させるための被支持用具２２を備えた棚板（副棚板１７）であって、前記被支持用具２２は、棚板（副棚板１７）の端面に開口する開口部（矩形断面の空洞部２４）に回転不能に差し込まれる差し込み軸部２６と、この差し込み軸部２６の先端に連設された倒立Ｌ字形部２７を備え、この倒立Ｌ字形部２７の水平板部が前記棚板受け部材（主棚板１６）の上に載置される被支持用突出片２２ａとなっている。【選択図】図５
2018064781.tif 000002
【特許請求の範囲】
【請求項１】
端部を棚板受け部材に支持させるための被支持用具を備えた棚板であって、前記被支持用具は、棚板の端面に開口する開口部に回転不能に差し込まれる差し込み軸部と、この差し込み軸部の先端に連設された倒立Ｌ字形部を備え、この倒立Ｌ字形部の水平板部が前記棚板受け部材の上に載置される被支持用突出片となっている、被支持用具を備えた棚板。
【請求項２】
前記差し込み軸部は、互いに平行な帯板状の上側板部と下側板部、及び上下両側板部を、その巾の中央位置で連結一体化する垂直板部とから成る、請求項１に記載の被支持用具を備えた棚板。
【請求項３】
前記棚板は、表面板部と裏面板部、この表裏両板部間に巾方向等間隔おきに並列配置されて表裏両板部を連結一体化する、棚板長さ方向全長にわたって連続する仕切り板部とから成り、前記差し込み軸部が差し込まれる前記開口部が、表面板部と裏面板部、及び隣り合う２つの前記仕切り板部で囲まれた矩形断面の空洞部の端部で構成されている、請求項１又は２に記載の被支持用具を備えた棚板。
【発明の詳細な説明】
【技術分野】
【０００１】
本発明は、端部を棚板受け部材に支持させるための被支持用具を備えた棚板に関するものである。
【背景技術】
【０００２】
家具や建屋内の収納空間には、棚板が架設されるが、この棚板は、一般的には取り外しを可能にするために、収納空間を形成する囲壁に取り付けられた棚板受け部材に支持されるものである。特許文献を示すことは出来ないが、一般的には、前記棚板受け部材としては、棚板端部の下側面を支持する構造となっている。
【発明の概要】
【発明が解決しようとする課題】
【０００３】
上記のように、棚板受け部材によって棚板端部の下側面を支持する構造では、両端が収納空間囲壁に支持されている主棚板に対して、一端が収納空間囲壁に支持された副棚板の他端を直角向きに接続させて、主棚板と副棚板とで、平面視でＬ字形の棚を構成しようとしたとき、前記棚板受け部材を主棚板の側辺底部に取り付けて、副棚板の方へ突出させる必要があり、主棚板の側辺下側に、必要な取付け強度をもって棚板受け部材を取り付ける構造と、取付け手間がかかることになる。
【課題を解決するための手段】
【０００４】
本発明は、上記のような従来の問題点を解消することのできる被支持用具を備えた棚板を提案するものであって、本発明に係る被支持用具を備えた棚板は、後述する実施例との関係を理解し易くするために、当該実施例の説明において使用した参照符号を括弧付きで付して示すと、端部を棚板受け部材（主棚板(16)）に支持させるための被支持用具(22)を備えた棚板（副棚板(17)）であって、前記被支持用具(22)は、棚板（副棚板(17)）の端面に開口する開口部（矩形断面の空洞部(24)）に回転不能に差し込まれる差し込み軸部(26)と、この差し込み軸部(26)の先端に連設された倒立Ｌ字形部(27)を備え、この倒立Ｌ字形部(27)の水平板部が前記棚板受け部材（主棚板(16)）の上に載置される被支持用突出片(22a)となっている。
【発明の効果】
【０００５】
上記本発明の構成によれば、棚板の端部から突出する被支持用突出片を棚板受け部材の上に載置させるだけであるから、先に説明したように、主棚板と副棚板とで、平面視でＬ字形の棚を構成しようとしたとき、主棚板そのものを棚板受け部材として、副棚板の端部に取り付けた被支持用具の被支持用突出片を主棚板の側辺の上に載置するだけで、目的を達成出来る。勿論、前記被支持用突出片を上面で受けることが出来る棚板受け部材を準備すれば、棚板の端部に隣接する収納空間囲壁の側面に前記棚板受け部材を取り付けて、前記被支持用突出片を介して棚板の端部を収納空間囲壁に支持させることも可能である。何れにしても、本発明の構成によれば、棚板の端部に必要な前記被支持用突出片は、棚板の端面に開口する開口部に差し込み軸部を差し込むだけで、当該被支持用突出片を棚板の端部から所定の向きで突出させることが出来るので、棚板側には、その端面に開口する開口部を設けておくだけで良く、非常に簡単容易且つ安価に実施することが出来る。
【０００６】
上記本発明を実施する場合、具体的には、前記差し込み軸部(26)は、互いに平行な帯板状の上側板部(26a)と下側板部(26b)、及び上下両側板部(26a,26b)を、その巾の中央位置で連結一体化する垂直板部(26c)から成る、断面倒立Ｈ形構造とすることにより、軽量で且つ必要な強度を備えた差し込み軸部を構成することが出来る。又、棚板（副棚板(17)）は、表面板部(23a)と裏面板部(23b)、この表裏両板部(23a,23b)間に巾方向等間隔おきに並列配置されて表裏両板部(23a,23b)を連結一体化する、棚板長さ方向全長にわたって連続する仕切り板部(23c)とから構成し、前記差し込み軸部(26)が差し込まれる前記開口部を、表面板部(23a)と裏面板部(23b)、及び隣り合う２つの前記仕切り板部(23c)で囲まれた矩形断面の空洞部(24)の端部で構成することが出来る。この構成によれば、棚板を合成樹脂により、中空の軽量構造でありながら、必要な耐荷重性能を容易にもたせることが出来、しかも前記被支持用具の差し込み軸部を挿入するための開口部を別に形成する必要がなく、容易に実施することが出来る。
【図面の簡単な説明】
【０００７】
【図１】図１Ａは、本発明に係る棚板を採り入れたクローゼットの、正面扉を取り外した状態の正面図、図１Ｂは、同上クローゼットの、図１ＡのＡ−Ａ線位置での断面図である。
【図２】図２Ａは、図１ＢのＢ−Ｂ線断面図、図２Ｂは、前記クローゼットの、図２ＡのＣ−Ｃ線位置での断面図である。
【図３】図３は、同上クローゼットの要部の拡大横断平面図である。
【図４】図４は、図３に示す要部を分解して示す、主棚板と副棚板の縦断面図を含む平面図である。
【図５】図５Ａは、主棚板と副棚板の断面構造を示す斜視図、図５Ｂは、副棚板の支持構造を示す要部の縦断側面図である。
【図６】図６Ａは、副棚板に使用される被支持用具の斜視図、図６Ｂは、同平面図、図６Ｃは、同側面図である。
【発明を実施するための形態】
【０００８】
図１Ａ〜図２Ｂに示すクローゼット１は、本発明の棚板を採用したものであって、床板２、天板３、左右両側板４，５、背板６、及び大小２枚の巾の異なる開閉扉７ａ，７ｂで囲まれた収納空間内に、大巾開閉扉７ａで開閉される主収納部８と、小巾開閉扉７ｂで開閉される副収納部９とが形成されている。この副収納部９は、閉じた小巾開閉扉７ｂと側板５との間の入隅部に、一側辺が側板５に取り付けられた間口方向の仕切り板１０と、この仕切り板１０の他側辺に取り付けられた奥行き方向の仕切り板１１によって形成された、横断面が四角形の柱状空間であって、両仕切り板１０，１１の下側辺は、床板２から上方に離れて位置し、両仕切り板１０，１１の上側辺は、天板３に取り付けられている。そしてこの副収納部９内の下端近傍位置には、側板５と両仕切り板１０，１１に取り付けられた固定棚板１２が設けられ、この固定棚板１２より上方には、上下複数段に、高さ変更自在な可動棚板１３が架設されている。このクローゼット１の主収納部８における収納空間囲壁は、左右両側板４，５、背板６、間口方向の仕切り板１０、及び奥行き方向の仕切り板１１となる。
【０００９】
主収納部８は、副収納部９の後ろ側に入り込んでいる、横断面がＬ字形の柱状空間であって、その上端側には、左右両側板４，５、背板６、及び副収納部９を形成している間口方向の仕切り板１０に取り付けられたＬ字形固定棚板１４が架設されている。このＬ字形固定棚板１４の下側に、本発明の棚板を採用した上下複数段のＬ字形可動棚板１５が架設されている。Ｌ字形固定棚板１４は、この主収納部８の奥行きの半分弱の巾で、間口方向の全巾と等しい長さの主棚板部１４ａと、この主棚板部１４ａの側板５側の前側辺から一体に連設した副棚板部１４ｂから成り、主棚板部１４ａと副棚板部１４ｂとの間の入隅部は円弧形に湾曲している。
【００１０】
各段のＬ字形可動棚板１５は、同一構造のものであって、前記Ｌ字形固定棚板１４の主棚板部１４ａより巾が狭く、主収納部８の間口方向の全巾と等しい長さの主棚板１６と、副棚板１７とで構成されている。この副棚板１７は、副収納部９を構成している間口方向の仕切り板１０と同一巾のもので、当該仕切り板１０と主棚板１６の側辺との間を埋めるように、主棚板１６と同一高さに、平面視でＬ字形に架設されている。従って、図１Ｂ及び図２Ｂに示すように、主収納部８には、副収納部９を構成している奥行き方向の仕切り板１１と側板４との間の巾で、副収納部９の奥行きに副棚板１７の長さを加えた奥行きの、大巾開閉扉７ａで開閉される平面視が四角柱状の人が立ち入り可能な作業空間１８が形成されている。
【００１１】
図３に示すように、Ｌ字形可動棚板１５の主棚板１６は、その後側辺が背板６に隣接する状態で、長さ方向（主収納部８の間口方向）の両端が、左右両側板４，５に取り付けられた、それぞれ２本の棚板受け具１９，２０によって支持され、副棚板１７は、副収納部９の仕切り板１０に取り付けられた２本の棚板受け具２１によって、この副収納部９の仕切り板１０に隣接する一端部が支持されると共に、この副棚板１７の他端部は、当該他端部に取り付けられた２本の被支持用具２２の突出片２２ａが主棚板１６の内側辺上に載置されることにより、当該主棚板１６の内側辺で支持されている。
【００１２】
図４Ａ〜図５Ｂに示すように、主棚板１６と副棚板１７は、同一巾の板材２３から構成されたもので、その板材２３は、表面板部２３ａと裏面板部２３ｂ、前記表裏両板部２３ａ，２３ｂ間に巾方向等間隔おきに並列配置されて、表裏両板部２３ａ，２３ｂを連結一体化する仕切り板部２３ｃ、この板材２３の巾方向の一側辺に位置する垂直側板部２３ｄ、当該板材２３の巾方向の他側辺の裏面板部２３ｂに形成された斜め上方への傾斜板部２３ｅ、この傾斜板部２３ｅと同一側の表面板部２３ａの側辺と当該傾斜板部２３ｅとを連結一体化する突出円弧板部２３ｆ、前記垂直側板部２３ｄに隣り合う仕切り板部２３ｃと交叉する裏面板部２３ｂを内側に入り込むように成形させて成る凹溝部２３ｇ、及び前記傾斜板部２３ｅの内側に隣り合う仕切り板部２３ｃと交叉する裏面板部２３ｂを内側に入り込むように成形させて成る凹溝部２３ｈから成るもので、前記仕切り板部２３ｃ、垂直側板部２３ｄ、傾斜板部２３ｅ、突出円弧板部２３ｆ、及び２本の凹溝部２３ｇ，２３ｈは、全てこの板材２３の長さ方向に連続するものであって、板材２３の全体が合成樹脂により一体に押出し成型されたものである。従って、主棚板１６と副棚板１７には、表裏両板部２３ａ，２３ｂと隣り合う２つの仕切り板部２３ｃで囲まれた、板材２３の全長にわたって連続する矩形断面の空洞部２４が、板材２３の巾方向に並列し、凹溝部２３ｇ，２３ｈと共に、板材２３の長さ方向の両端に開口していることになる。
【００１３】
尚、上記構成の板材２３では、その巾方向の一側辺では、裏面板部２３ｂにおける傾斜板部２３ｅの傾斜裏面と、表面板部２３ａの表面とが、突出円弧板部２３ｆの外側の突出円弧面によって接続され、当該板材２３の巾方向の他側辺では、垂直側板部２３ｄの外側の垂直側面によって、表面板部２３ａの表面と裏面板部２３ｂの裏面が接続され、各凹溝部２３ｇ，２３ｈの上半湾曲部の頂上外側面と表面板部２３ａとが、短くなった仕切り板部２３ｃによって連結一体化され、そして傾斜板部２３ｅは、その横断面形状が内側に凹曲するように湾曲し、その巾方向の中央部に１つの短くなった仕切り板部２３ｃが配置された構成になっている。主棚板１６は、上記構成の板材２３が、その垂直側板部２３ｄが背板６に隣接する向きで使用され、副棚板１７は、上記構成の板材２３が、その垂直側板部２３ｄが側板５に隣接する向きに使用されている。従って、主棚板１６と副棚板１７は、その突出円弧板部２３ｆが、主収納部８の作業空間１８側に位置して互いに直角に連なる状態になっている。この結果、主棚板１６の長さ方向の両端、即ち、板材２３の各空洞部２４と凹溝部２３ｇの両端開口部が、左右両側板４，５に直角向きに隣接し、副棚板１７の長さ方向の両端、即ち、板材２３の各空洞部２４と凹溝部２３ｈの両端開口部が、主棚板１６の突出円弧板部２３ｆと、副収納部９を構成している間口方向の仕切り板１０とに対し、直角向きに隣接している。
【００１４】
各棚板受け具１９〜２１は、同一構造の従来周知のものであって、左右両側板４，５及び間口方向の仕切り板１０に取り付けられる取付け用軸部２５ａの外端に、当該取付け用軸部２５ａと同心状に円柱状軸部２５ｂを連設したものである。左右両側板４，５には、垂直側板部２３ｄを背板６に隣接させた水平状態の主棚板１６の、長さ方向両端に開口する２本の凹溝部２３ｇ，２３ｈに隣接する２つ一組の取付け孔２８が、上下方向一定間隔おきに設けられ、間口方向の仕切り板１０には、垂直側板部２３ｄを側板５に隣接させた水平状態の副棚板１７の、前記仕切り板１０に隣接する長さ方向一端に開口する２本の凹溝部２３ｇ，２３ｈに隣接する２つ一組の取付け孔２８が、左右両側板４，５に設けられた取付け孔２８と同一高さに位置するように、上下方向一定間隔おきに設けられている。各棚板受け具１９〜２１が備える取付け用軸部２５ａは、取付け孔２８に差し込むか又は捻じ込みによって取り付けられるもので、円柱状軸部２５ｂは、板材２３の凹溝部２３ｇ，２３ｈの内巾よりは狭いが高さよりは少し大き目の直径を有し、当該凹溝部２３ｇ，２３ｈを上から嵌合させることが出来るものである。
【００１５】
被支持用具２２は、図６に示すように、互いに平行な帯板状の上側板部２６ａと下側板部２６ｂ、及び上下両側板部２６ａ，２６ｂを、その巾の中央位置で連結一体化する垂直板部２６ｃとから成る、断面倒立Ｈ形の差し込み軸部２６と、この差し込み軸部２６の先端に連設された倒立Ｌ字形部２７を備え、この倒立Ｌ字形部２７の水平板部が、主棚板１６の上に載置される前記突出片２２ａとなっている。前記差し込み軸部２６は、板材２３の空洞部２４内に自転不能に差し込み可能な断面サイズとなっている。
【００１６】
主収納部８内にＬ字形可動棚板１５を架設するときは、左右両側板４，５と間口方向の仕切り板１０に、Ｌ字形可動棚板１５を支持させる高さにある取付け孔２８と取付け用軸部２５ａを利用して、棚板受け具１９〜２１を取り付けておく。次に、左右両側板４，５に同一高さで取り付けられている各２本の棚板受け具１９，２０より上方位置から、垂直側板部２３ｄを背板６に隣接させた状態の主棚板１６を下方にスライドさせて、その長さ方向に沿った２本の凹溝部２３ｇ，２３ｈの両端部を、各２本の棚板受け具１９，２０の円柱状軸部２５ｂに上から嵌合させる。この結果、主棚板１６は、垂直側板部２３ｄが背板６に隣接する水平状態で、間口方向と平行な長さ方向の両端が左右両側板４，５に、それぞれ２本の棚板受け具１９，２０の円柱状軸部２５ｂによって支持された状態になる。同様にして、他の高さにも主棚板１６を水平に架設する。
【００１７】
次に、各副棚板１７を、その垂直側板部２３ｄが側板５に隣接する向きにしたときに、主棚板１６に隣接する側の長さ方向（奥行き方向）の一端に開口する各空洞部２４の内、凹溝部２３ｇ，２３ｈより内側にある２つの空洞部２４に、被支持用具２２の差し込み軸部２６を、先端の突出片２２ａが上になる向きに差し込む。この状態の副棚板１７を、組み合わせる主棚板１６と同一高さで間口方向の仕切り板１０に取り付けられている２本の棚板受け具２１より上方位置で、垂直側板部２３ｄを側板５に隣接させると共に、主棚板１６とは反対側の長さ方向（奥行き方向）他端を間口方向の仕切り板１０に隣接させた状態で、下方にスライドさせて、仕切り板１０に隣接する前記他端に開口する２本の凹溝部２３ｇ，２３ｈを、２本の棚板受け具２１の円柱状軸部２５ｂに上から嵌合させると同時に、主棚板１６側の長さ方向（奥行き方向）一端から突出している２本の被支持用具２２の突出片２２ａを、主棚板１６の突出円弧板部２３ｆのある側辺の上に載置させる。この結果、副棚板１７は、垂直側板部２３ｄが側板５に隣接する水平状態で、間口方向の仕切り板１０と主棚板１６との間で水平に支持され、Ｌ字形可動棚板１５が完成する。このとき、主棚板１６の表面と副棚板１７の表面とが面一になるように、被支持用具２２の突出片２２ａは、その下側面が副棚板１７の表面と同一レベルになるように構成されている。同様にして、他の高さの主棚板１６に対しても副棚板１７を組み合わせて、各段のＬ字形可動棚板１５を完成させる。
【００１８】
上記構成によれば、主棚板１６が有する凹溝部２３ｇ，２３ｈの両端部と、副棚板１７が有する凹溝部２３ｇ，２３ｈの一端部が、各棚板受け具１９〜２１の円柱状軸部２５ｂに対して上から嵌合する凹窪部となっており、副棚板１７の空洞部２４の内、被支持用具２２の差し込み軸部２６が差し込まれる空洞部２４の端部が、当該被支持用具２２の差し込み用開口部となっているが、無垢の板材から主棚板１６及び副棚板１７を構成するときは、各棚板受け具１９〜２１の円柱状軸部２５ｂに対して上から嵌合する凹窪部と、被支持用具２２の差し込み軸部２６が差し込まれる開口部を、加工することになる。又、本発明の棚板を組み込む対象は、上記のクローゼット１に限定されるものではなく、如何なる構造の収納空間内にも組み込むことは可能である。
【産業上の利用可能性】
【００１９】
本発明の棚板は、別の棚板と組み合わせて、平面視でＬ字形の棚構造体を組み立てる場合に活用出来る。
【符号の説明】
【００２０】
１    クローゼット
２    床板
３    天板
４，５    側板
６    背板
７ａ，７ｂ    開閉扉
８    主収納部
９    副収納部
１０    間口方向の仕切り板
１１    奥行き方向の仕切り板
１４    Ｌ字形固定棚板
１５    Ｌ字形可動棚板
１６    主棚板
１７    副棚板
１８    作業空間
１９〜２１    棚板受け具
２２    被支持用具
２２ａ    突出片
２３    板材
２３ａ    表面板部
２３ｂ    裏面板部
２３ｃ    仕切り板部
２３ｄ    垂直側板部
２３ｅ    傾斜板部
２３ｆ    突出円弧板部
２３ｇ，２３ｈ    凹溝部
２４    空洞部
２５ａ    棚板受け具の取付け用軸部
２５ｂ    棚板受け具の円柱状軸部
２６    被支持用具の差し込み軸部
２６ａ，２６ｂ    差し込み軸部の上下両側板部
２６ｃ    差し込み軸部の垂直板部
２７    被支持用具の倒立Ｌ字形部
２８    取付け孔
【図１】
2018064781.tif 000003
【図２】
2018064781.tif 000004
【図３】
2018064781.tif 000005
【図４】
2018064781.tif 000006
【図５】
2018064781.tif 000007
【図６】
2018064781.tif 000008